(57)【特許請求の範囲】
【請求項１】
２枚の側板間に配設された複数の鍵から成る鍵盤部と、前記鍵盤部の後方に回転中心を有し平板状に形成された鍵盤蓋平面部を有するとともに蓋閉時に前記鍵盤部を覆う回動自在の鍵盤蓋と、該鍵盤部の後方上部に位置する天板部とを備えた鍵盤楽器であって、
前記天板部の前方であって前記鍵盤部の後方に設けられる収納部であって、前記鍵盤部の蓋開時に前記２枚の側板の上面と前記鍵盤蓋の裏面とを露出させつつ、鍵盤蓋平面部がその裏面を上方に向け水平になるように前記鍵盤蓋を収納する収納部と、
前記天板部に装着されたスピーカと
を具備し、
前記鍵盤蓋の蓋開時において該鍵盤蓋の先端部の高さが前記天板部の高さ以下になる
ことを特徴とする鍵盤楽器。
【請求項２】
前記収納部は、前記２枚の側板間に設けられた凹部を有し、
前記鍵盤蓋は、前記鍵盤蓋平面部から前方に突出し蓋閉時に前記鍵盤部の前方を覆う鍵盤蓋前方部を有し、
蓋開時に前記鍵盤蓋を前記凹部に収納したとき、前記鍵盤蓋平面部の裏面が、前記２枚の側板上面と同一高か該側板上面よりも低くなるように前記凹部を形成し、
前記鍵盤蓋前方部の高さは、前記天板部の高さと前記凹部の底面部の高さとの差以下であって、前記鍵盤部の露出部分の高さ以上に設定されていること
を特徴とする請求項１記載の鍵盤楽器。
【請求項３】
前記鍵盤蓋前方部は、蓋閉時に前記鍵盤蓋平面部から、その先端が下方向に向くように円弧状に湾曲しつつ前方に突出していることを特徴とする請求項２記載の鍵盤楽器。
【請求項４】
前記凹部は、該凹部の底面部と前記天板部との間に、蓋開時に前記鍵盤蓋前方部に重なる立上り縁部を有し、
前記２枚の側板の上面のうち該立上り縁部に隣接する部分の上面は、該立上り縁部に沿った形状に形成されていることを特徴とする請求項２記載の鍵盤楽器。
【請求項５】
前記収納部は、前記２枚の側板間に設けられた凹部を有し、
前記凹部は所定高の段差を成す立上り縁部と、該立上り縁部の下端に接合された平坦な底面部とを有し、
前記側板の上面は前記鍵盤部の側方位置から後方に向かって延設され、前記所定高よりも低い段差を有しつつ前記凹部の底面部の奥行き方向に向かって設けられていること
を特徴とする請求項１記載の鍵盤楽器。
【請求項６】
前記回転中心に沿って前記鍵盤蓋に形成され、蓋開時において上方に向かって突出する突条部をさらに有することを特徴とする請求項１ないし５の何れかに記載の鍵盤楽器。
【請求項７】
前記スピーカは複数設けられ、前記天板部上に、前記鍵盤部の鍵並び方向に沿って配列されていることを特徴とする請求項１ないし６の何れかに記載の鍵盤楽器。
【発明の詳細な説明】
【技術分野】
【０００１】
本発明は、電子ピアノ等の鍵盤楽器に関し、特にこれらの鍵盤蓋の構造に関する。
【背景技術】
【０００２】
電子ピアノ等の鍵盤楽器には、鍵盤を保護するために鍵盤蓋が設けられている。この鍵盤蓋は、一般的には単なる開閉式の蓋であり、蓋閉時から１００°ないし１２０°程度鍵盤蓋を回動させることにより、鍵盤を露出させるものである。このような鍵盤蓋は、鍵盤楽器が使用されていないときには鍵盤を保護するという役割を果たすが、鍵盤楽器の演奏中においては特に役に立たないものであった。このため、特許文献１においては、鍵盤楽器の筐体内部に鍵盤蓋をスライドさせ収納する技術が開示されている。
【０００３】
【特許文献１】登録実用新案第２５７１３４３号公報
【発明の開示】
【発明が解決しようとする課題】
【０００４】
しかし、単なる開閉式の蓋を鍵盤蓋として用いた場合は、以下のような問題が生じる。まず、鍵盤蓋は演奏中は演奏者の前方視界を遮るため、アンサンブルなどを行う場合に鍵盤楽器の演奏者と他の楽器の演奏者とが意思疎通を図ることが困難になる。また、多くの電子ピアノ等においては、鍵盤楽器の上面後方部分にスピーカが配置されるが、かかる鍵盤楽器に対して鍵盤蓋を開状態にしたとき、スピーカから演奏者に向かう音を遮断するため、音質が悪化するという問題が生じる。また、特許文献１のように鍵盤楽器の内部に鍵盤蓋を収納するようにすると、鍵盤楽器全体の構造が複雑になるとともに鍵盤楽器が大型化するという問題が生じる。
また、何れの場合においても、鍵盤楽器の演奏中において鍵盤蓋は実用的な機能をほとんど発揮しないものであった。
この発明は上述した事情に鑑みてなされたものであり、演奏時においても鍵盤蓋の実用価値を高めることができる鍵盤楽器を提供することを第１の目的としている。さらに、鍵盤の操作時においても演奏者の視界を妨げることなく、スピーカから放音される楽音を良好な音質で演奏者に到達させる鍵盤楽器を提供することを第２の目的としている。
【課題を解決するための手段】
【０００５】
上記課題を解決するため本発明にあっては、下記構成を具備することを特徴とする。なお、括弧内は例示である。
請求項１記載の鍵盤楽器にあっては、２枚の側板（１０−１）間に配設された複数の鍵から成る鍵盤部（２２）と、前記鍵盤部（２２）の後方に回転中心（Ｐ）を有し平板状に形成された鍵盤蓋平面部（２０−１）を有するとともに蓋閉時に前記鍵盤部（２２）を覆う回動自在の鍵盤蓋（２０）と、該鍵盤部（２２）の後方上部に位置する天板部（３４）とを備えた鍵盤楽器であって、前記天板部（３４）の前方であって前記鍵盤部（２２）の後方に設けられる収納部（３０）であって、前記鍵盤部（２２）の蓋開時に前記２枚の側板（１０−１）の上面と前記鍵盤蓋（２０）の裏面（２０−１１）とを露出させつつ、鍵盤蓋平面部（２０−１）がその裏面を上方に向け水平になるように前記鍵盤蓋（２０）を収納する収納部（３０）と、前記天板部（３４）に装着されたスピーカ（３６，３６）とを具備し、前記鍵盤蓋（２０）の蓋開時において該鍵盤蓋（２０）の先端部（２０−１０）の高さが前記天板部（３４）の高さ以下になることを特徴とする。
さらに、請求項２記載の構成にあっては、請求項１記載の鍵盤楽器において、前記収納部（３０）は、前記２枚の側板（１０−１）間に設けられた凹部（３０−１，３０−２）を有し、前記鍵盤蓋（２０）は、前記鍵盤蓋平面部（２０−１）から前方に突出し蓋閉時に前記鍵盤部（２２）の前方を覆う鍵盤蓋前方部（２０−２）を有し、蓋開時に前記鍵盤蓋（２０）を前記凹部（３０−１，３０−２）に収納したとき、前記鍵盤蓋平面部（２０−１）の裏面（２０−１１）が、前記２枚の側板上面（１０−１ａ）と同一高か該側板上面（１０−１ａ）よりも低くなるように前記凹部（３０−１，３０−２）を形成し、前記鍵盤蓋前方部（２０−２）の高さ（ｈｃ）は、前記天板部（３４）の高さと前記凹部の底面部（３０−１）の高さとの差（ｈｖ）以下であって、前記鍵盤部（２２）の露出部分の高さ（ｈｋ）以上に設定されていることを特徴とする。
さらに、請求項３記載の構成にあっては、請求項２記載の鍵盤楽器において、前記鍵盤蓋前方部（２０−２）は、蓋閉時に前記鍵盤蓋平面部（２０−１）から、その先端が下方向に向くように円弧状に湾曲しつつ前方に突出していることを特徴とする。
さらに、請求項４記載の構成にあっては、請求項２記載の鍵盤楽器において、前記凹部（３０−１，３０−２）は、該凹部の底面部（３０−１）と前記天板部（３４）との間に、蓋開時に前記鍵盤蓋前方部（２０−２）に重なる立上り縁部（３０−２）を有し、前記２枚の側板（１０−１）の上面のうち該立上り縁部（３０−２）に隣接する部分の上面（１０−１ｂ）は、該立上り縁部（３０−２）に沿った形状に形成されていることを特徴とする。
さらに、請求項５記載の構成にあっては、請求項１記載の鍵盤楽器において、前記収納部（３０）は、前記２枚の側板（１０−１）間に設けられた凹部（３０−１，３０−２）を有し、前記凹部（３０−１，３０−２）は所定高（ｈｖ）の段差を成す立上り縁部（３０−２）と、該立上り縁部（３０−２）の下端に接合された平坦な底面部（３０−１）とを有し、前記側板の上面（１０−１ａ）は前記鍵盤部（２２）の側方位置から後方に向かって延設され、前記所定高（ｈｖ）よりも低い段差（ｈｓ）を有しつつ前記凹部の底面部（３０−１）の奥行き方向に向かって設けられていることを特徴とする。
さらに、請求項６記載の構成にあっては、請求項１ないし５の何れかに記載の鍵盤楽器において、前記回転中心（Ｐ）に沿って前記鍵盤蓋（２０）に形成され、蓋開時において上方に向かって突出する突条部（２０−４）をさらに有することを特徴とする。
さらに、請求項７記載の構成にあっては、請求項１ないし６の何れかに記載の鍵盤楽器において、前記スピーカ（３６，３６）は複数設けられ、前記天板部（３４）上に、前記鍵盤部（２２）の鍵並び方向に沿って配列されていることを特徴とする。
【発明の効果】
【０００６】
このように、天板部と鍵盤部との間に設けられ、鍵盤部の蓋開時に２枚の側板の上面と鍵盤蓋の裏面とを露出させつつ鍵盤蓋を収納する構成によれば、蓋開時において鍵盤蓋の裏面に譜面等を載置することができ、鍵盤蓋の実用価値を高めることができる。
さらに、鍵盤蓋平面部から湾曲しつつ突出し蓋閉時に前記鍵盤の前方を覆う鍵盤蓋前方部を有する構成によれば、鍵盤蓋に譜面等を載置したとき譜面等が斜めになるから、譜面等が読みやすくなる。
さらに、２枚の側板の上面のうち立上り縁部に隣接する部分を該立上り縁部に沿った形状に形成した構成によれば、譜面等を側板まではみ出して載置することができるようになる。
【０００７】
さらに、蓋開時において上方に向かって突出する突条部を回動中心に沿って鍵盤蓋に形成する構成によれば、鍵盤蓋の裏面に載置された譜面や筆記具等を該突条部によって係止し、これらの落下を防止することができる。
さらに、蓋開時に鍵盤蓋を収納する収納部を天板部と鍵盤部との間に設ける構成によれば、鍵盤の操作時においても演奏者の視界を妨げることなく、スピーカから放音される楽音を良好な音質で演奏者に到達させることができる。
また、側板の上面が凹部の成す所定高よりも低い段差を有する構成によれば、この低い段差部分によって側面視がほぼフラットになるために圧迫感がなくなり、演奏者と観客との一体感が得られる。
【発明を実施するための最良の形態】
【０００８】
1．実施例の全体構成
次に、本発明の一実施例の電子ピアノの全体構成を図１を参照し説明する。
図において１０は楽器本体部であり、横長の略直方体状に構成されている。１２，１４は柱状の支持脚であり、楽器本体部１０の前方部の左右両端付近から下方に向かって突出している。１６は横長の略長方形板状の中央支持部であり、楽器本体部１０の後方部中央から下方に突出している。そして、これら支持脚１２，１４および中央支持部１６によって、楽器本体部１０が支持される。１８はペダル群であり、中央支持部１６の下部正面から前方に向かって突出している。
【０００９】
２０は鍵盤蓋であり、その中央部分である平面部２０−１は平板状に形成されている。また、鍵盤蓋２０の前方部２０−２は、鍵盤蓋平面部２０−１から前方に向かって突出し、その先端が下方向に向かうように円弧状に湾曲している。また、鍵盤蓋２０の後方端部には、上方向に突出する突条部２０−４が左右方向に亘って形成されている。この突条部２０−４の両端部２０−５，２０−６において、鍵盤蓋２０は楽器本体部１０に回動自在に軸支されている。楽器本体部１０においては、鍵盤蓋前方部２０−２の先端部が接する箇所に口棒１７，１７が形成されている。口棒１７，１７は、幅数センチメートル程度の棒状の部材であり、各々楽器本体部１０の左端および右端から内側に向かって突出し、その長さは楽器本体部１０の全幅のほぼ「１／３」である。これにより、口棒１７，１７の間には、演奏者が手を挿入して鍵盤蓋２０を把持するための切欠部１９が形成されている。３４は楽器本体部１０の最上面を成す天板部であり、その両端にはスピーカ３６，３６が装着されている。３０は鍵盤蓋収納部であり、鍵盤蓋平面部２０−１の上面とほぼ同程度の高さの上面を有する収納本体部３０−１と、該収納本体部３０−１に接合され鍵盤蓋前方部２０−２と同様の曲率で湾曲し天板部３４に達する立上り縁部３０−２とから構成されている。そして、これら収納本体部３０−１および立上り縁部３０−２によって凹部が形成されている。
【００１０】
次に、鍵盤蓋２０を開いた状態における電子ピアノの外観を図２に示す。鍵盤蓋２０は図１に示した蓋閉状態から「１８０°」回動した状態で鍵盤蓋収納部３０上に収納され、鍵盤２２と、その両端の拍子木２４，２４が露出している。ここで、鍵盤蓋平面部２０−１は、その裏面２０−１１が上方に向き、水平になる。鍵盤蓋平面部２０−１は、楽器本体部１０の左右の端面を形成する側板１０−１の上面よりも数ｍｍ低い高さに位置し、側面視においては鍵盤蓋平面部２０−１が見えなくなる。本実施例ではかかる状態を「収納」と呼ぶ。一方、蓋開状態において、鍵盤蓋２０の先端部２０−１０が天板部３４の上面とが同一の高さになるように、該鍵盤蓋２０および鍵盤蓋収納部３０の各部の寸法が設定されている。
【００１１】
上述した構成は、換言すれば、左右の側板１０−１において、蓋開状態における鍵盤蓋平面部２０−１に隣接する部分の上面１０−１ａは、鍵盤蓋平面部２０−１に対してほぼ同一の高さになるように（数ｍｍ高くなるように）構成されている。さらに、左右の側板１０−１において、鍵盤蓋前方部２０−２に隣接する部分の上面１０−１ｂは、蓋開状態における鍵盤蓋前方部２０−２の上面（すなわち鍵盤蓋前方部２０−２の裏面）の形状に沿って同一の湾曲面を形成するように構成されている。
【００１２】
2．鍵盤蓋２０および鍵盤蓋収納部３０の詳細構成
次に、鍵盤蓋２０および鍵盤蓋収納部３０の詳細構成を図３を参照し説明する。
図３に示す側板１０−１は、楽器本体部１０の左側の側板である。４２は回転軸であり、略直方体状に形成され、鍵盤蓋２０を軸支するために側板１０−１から内側に向かって突出している。なお、図３においては、左側の側板１０−１から突出した回転軸４２を図示しているが、右側の側板からも同様の回転軸が突出している（図示せず）。各回転軸の長さは１０センチメートル程度である。４０は制動部であり、側板１０−１の内部に埋設されるとともに固定され、回転軸４２を回動自在に支持する。また、制動部４０は、鍵盤蓋２０が完全に蓋開状態または蓋閉状態になる前の所定範囲において、演奏者の指挟みを防止するために回転軸４２の回動動作を制動する。
【００１３】
鍵盤蓋２０の突条部２０−４においては、断面が略「コ」字状の凹部２０−７が形成されている。また、凹部２０−７の開口部付近の内側面には、ゴムキャップを嵌合するための嵌合溝２０−８，２０−８が形成されている。そして、突条部２０−４のうち開口していない側の一辺からは約「４５°」の角度で鍵盤蓋平面部２０−１が突出している。回転軸４２の側面にはネジ穴４２−１，４２−１が形成され、端部２０−５の対応する箇所には、貫通孔２０−９，２０−９が形成されている。かかる構成において、回転軸４２を凹部２０−７に嵌合し、貫通孔２０−９，２０−９を介してネジ穴４２−１，４２−１にネジを螺合し、他方の端部２０−６も同様にネジによって回転軸に固定すると、鍵盤蓋２０と回転軸４２とが固着され、鍵盤蓋２０は回転軸４２を中心として回動自在になる。
【００１４】
ところで、通常の鍵盤楽器においては、鍵盤蓋の回転中心は蓋閉状態の鍵盤蓋の平面部分（本実施例の平面部２０−１に相当する部分）よりも下方に設けられている場合が多い。かかる鍵盤蓋において「１８０°」の回動を可能ならしめると、鍵盤蓋が下方に沈み込むような状態になる。従って、鍵盤蓋の沈み込む深さだけ余裕を持たせて鍵盤楽器の筐体を構成する必要があり、鍵盤楽器の筐体が大型化せざるを得なくなる。これに対して、この実施例のものは、平板状の鍵盤蓋平面部２０−１の延長線上に回転中心Ｐを有し、その回転中心Ｐを囲むように突条部２０−４が設けられているため、鍵盤蓋２０を「１８０°」回動させた蓋開状態においても、鍵盤蓋平面部２０−１の高さは蓋閉時の高さとほとんど変わらない。これにより、本実施例によれば、従来の鍵盤楽器と比較して、楽器本体部１０をよりスリムなものに構成できるという利点もある。
【００１５】
以上のように、鍵盤蓋２０をネジによって回転軸４２に固定した状態における鍵盤蓋２０等の断面図を図４に示す。この図においては、ネジ４４が突条部２０−４の壁面を介して回転軸４２に螺合されており、凹部２０−７の開口部はゴムキャップ２６によって封鎖され、鍵盤蓋２０は蓋閉位置にまで回動している。鍵盤蓋先端部２０−１０は、略「Ｌ」字状に内側に折れ曲がっている。これは、鍵盤蓋２０を蓋開状態にしたとき、演奏者が鍵盤蓋２０を把持する際の取っ手になる。また、鍵盤蓋収納部３０のうち突条部２０−４の下方に位置する部分には、鍵盤蓋２０の回動を妨げないように、断面略台形状の溝部３０−３が形成されている。また、鍵盤蓋収納部３０の先端部３０−４は、拍子木２４に固定される。
【００１６】
なお、鍵盤蓋前方部２０−２の高さは、蓋閉状態において鍵盤蓋２０が鍵盤２２に接触しない程度の高さを確保する必要がある。その一方、鍵盤蓋前方部２０−２があまり高すぎると、これに応じて立上り縁部３０−２の高さも高くしなければならず、演奏者の視界を遮るという問題が生じる。このため、鍵盤蓋前方部２０−２の高さは、鍵盤２２の実装状態によっても異なるが、図示のように「１５ｍｍ〜６０ｍｍ」程度の高さにすると好適である。
【００１７】
次に、本実施例における各部の寸法関係を図５を参照し説明する。まず、鍵盤２２は、複数の白鍵２２Ｗおよび黒鍵２２Ｂとから構成され、白鍵２２Ｗの前方にその下部を覆う鍵前板１０−４が楽器本体部１０から上方に向かって突出している。鍵前板１０−４の上端から黒鍵２２Ｂの上端までの高さが鍵盤２２の露出部分の高さである鍵盤高ｈkになる。鍵盤蓋前方部２０−２の高さｈcは、この鍵盤高ｈk以上になっている。鍵盤蓋２０の蓋開状態（破線）においては、鍵盤蓋平面部２０−１の裏面２０−１１は、側板上面１０−１ａと同一高か該側板上面１０−１ａよりも低くなるように、鍵盤蓋収納部３０の各部が構成されている。ここで、収納本体部３０−１の高さと天板部３４の高さとの差である収納高ｈvは、鍵盤蓋前方部２０−２の高さｈc以上になっている。また、側板１０−１は鍵盤２２の側方位置から後方に向かって延設されている。側板１０−１の上面１０−１ａは、収納本体部３０−１の上面よりも高くなっているから、段差部分の側板上面１０−１ｂの高さｈsは、収納高ｈvよりも低くなっている。
【００１８】
3．実施例の動作
上記構成において、演奏者が切欠部１９に手を入れて鍵盤蓋２０を持ち上げると、鍵盤蓋２０は鍵盤蓋平面部２０−１が水平になる位置、すなわち図４の一点鎖線で示す蓋開位置Ａまで回動する。蓋開位置Ａにおいては、収納本体部３０−１が鍵盤蓋平面部２０−１に重なり、鍵盤蓋前方部２０−２が立上り縁部３０−２に重なるため、鍵盤蓋２０は広い面積に渡って鍵盤蓋収納部３０に支持される。従って、鍵盤蓋２０を図４に示すような薄い素材で形成したとしても、鍵盤蓋２０がきわめて安定し、鍵盤蓋２０に力を加えても鍵盤蓋２０が撓みにくくなる。従って、かかる蓋開状態においては、鍵盤蓋平面部２０−１にメトロノーム、筆記具、譜面など様々な物品を安定して載置することができる。さらに、この蓋開状態においても、突条部２０−４は鍵盤蓋平面部２０−１よりも上方向に向かって突出する。これにより、蓋開状態において鍵盤蓋２０に譜面や筆記具等を載置したとき、これらが鍵盤２２に落下することを防止することができる。
【００１９】
ここで、図２に示した蓋開状態において、鍵盤蓋２０の裏面に譜面５２，５４を載置した状態を図６に示す。この状態において譜面５２は鍵盤蓋２０の裏面に収まっているが、譜面５４は右側の側板１０−１にまではみ出している。しかし、図２において説明したように、鍵盤蓋平面部２０−１および鍵盤蓋前方部２０−２に各々隣接する側板上面１０−１ａ，１０−１ｂは、蓋開状態における鍵盤蓋平面部２０−１および鍵盤蓋前方部２０−２の裏面とほぼ同一面を成すように構成されているため、側板１０−１の上面に譜面５４がはみ出しても、譜面５４を支障なく保持することができる。
【００２０】
4．変形例
本発明は上述した実施例に限定されるものではなく、例えば以下のように種々の変形が可能である。
(1)上記実施例においては、蓋開状態において鍵盤蓋先端部２０−１０と天板部３４とが同一の高さになるように、鍵盤蓋２０の寸法が設定されたが、蓋開状態において鍵盤蓋先端部２０−１０が天板部３４よりも低くなるようにしてもよい。このように、鍵盤蓋先端部２０−１０の高さが天板部３４の高さ以下になるようにしておくと、スピーカ３６，３６から放音された音が反射されることなく演奏者に届くため、音質が良好になるという効果が得られる。また、天板部３４に紙を置いて文字などを書く際には、天板部３４よりも手前側に障害になるものがないから、文字などが書きやすくなるという利点もある。
【００２１】
(2)また、逆に、蓋開状態において鍵盤蓋先端部２０−１０が天板部３４よりも高くなるようにしてもよい。これにより、鍵盤蓋２０の裏面に譜面などを置いた際、譜面の角度が直角に近くなるため、譜面が読みやすくなるという利点が生じる。
【００２２】
(3)また、鍵盤蓋２０とは別に、天板部３４の上に譜面台を設けてもよい。その一例を図７に示す。図７において３８は長方形板状の譜面台であり、天板部３４の上面から、若干傾きつつ上方向に突出している。また、図示の例では、蓋開状態において鍵盤蓋先端部２０−１０は天板部３４の上面よりも若干突出している。かかる構成によれば、譜面５０を譜面台３８に立てかけた際、譜面５０の下端が鍵盤蓋前方部２０−２によって係止されるため、譜面５０の落下を防止することができる。この図７に対応する天板部３４の位置を図５の一点鎖線Ｂによって示す。この変形例においては、収納高ｈv1は、鍵盤蓋前方部２０−２の高さｈcよりも低くなる。
【００２３】
(4)また、上記実施例においては、蓋開状態における鍵盤蓋平面部２０−１に隣接する部分の上面１０−１ａは、鍵盤蓋平面部２０−１よりも数ｍｍ高くなるように構成されていた。しかし、完全に同一の高さになるように両者を構成してもよい。さらに、鍵盤蓋平面部２０−１が蓋開状態において側板上面１０−１ａよりも高くなるようにしてもよい。但し、両者の高さの差は、図６に示した譜面５４が支障なく載置できる程度（例えば「±８ｍｍ」程度）にしておくことが望ましい。同様に、鍵盤蓋前方部２０−２に隣接する部分の上面１０−１ｂは、蓋開状態における鍵盤蓋前方部２０−２の上面の形状に完全に沿うように形成されていたが、上面１０−１ｂおよび鍵盤蓋前方部２０−２の高さについても、同程度の差があってもよい。
【００２４】
5．実施態様
本発明には、以下のような実施態様がある。
(１)蓋開時における前記鍵盤蓋前方部（２０−２）の先端部（２０−１０）の高さが、前記天板部（３４）の高さ以上になるように前記鍵盤蓋（２０）を構成したことを特徴とする請求項１記載の鍵盤楽器。
(２)蓋開時における前記鍵盤蓋前方部（２０−２）の先端部（２０−１０）の高さが、前記天板部（３４）の高さ以下になるように前記鍵盤蓋（２０）を構成したことを特徴とする請求項１記載の鍵盤楽器。
(３)蓋閉時における前記鍵盤蓋前方部（２０−２）の先端部（２０−１０）に衝合するとともに、空隙（１９）を形成するように水平方向に隔てられた一対の口棒（１７，１７）をさらに有することを特徴とする請求項１ないし７の何れかに記載の鍵盤楽器。
(４)前記２枚の側板（１０−１）の内部の前記回転中心（Ｐ）の位置に埋設され、前記鍵盤蓋（２０）の回動動作を制動する制動部（４０）をさらに有することを特徴とする請求項１ないし７の何れかに記載の鍵盤楽器。
【図面の簡単な説明】
【００２５】
【図１】本発明の一実施例の電子ピアノの蓋閉位置の斜視図である。
【図２】一実施例の電子ピアノの蓋開状態の斜視図である。
【図３】突条部２０−４の端部２０−５周辺の分解斜視図である。
【図４】突条部２０−４の断面図である。
【図５】電子ピアノの各部の寸法関係を示す側面図である。
【図６】鍵盤蓋２０に譜面５２，５４を載置した使用状態を示す図である。
【図７】譜面台３８を有する変形例の要部の断面図である。
【符号の説明】
【００２６】
１０：楽器本体部、１０−１：側板、１０−１ａ，１０−１ｂ：側板上面、１２，１４：支持脚、１６：中央支持部、１７，１７：口棒、１８：ペダル群、１９：切欠部、２０：鍵盤蓋、２０−１：鍵盤蓋平面部、２０−２：鍵盤蓋前方部、２０−４：突条部、２０−５，２０−６：端部、２０−７：凹部、２０−８：嵌合溝、２０−９：貫通孔、２０−１０：鍵盤蓋先端部、２０−１１：鍵盤蓋平面部裏面、２２：鍵盤、２４：拍子木、２６：ゴムキャップ、３０：鍵盤蓋収納部、３０−１：収納本体部、３０−２：立上り縁部、３０−３：凹部、３０−４：先端部、３４：天板部、３６，３６：スピーカ、３８：譜面台、４０：制動部、４２：回転軸、４２−１：ネジ穴、４４：ネジ、５０：譜面。
【図１】
0004487267.tif 000002
【図２】
0004487267.tif 000003
【図３】
0004487267.tif 000004
【図４】
0004487267.tif 000005
【図５】
0004487267.tif 000006
【図６】
0004487267.tif 000007
【図７】
0004487267.tif 000008